【手続補正書】
【提出日】平成20年7月4日(2008.7.4)
【手続補正１】
【補正対象書類名】明細書
【補正対象項目名】特許請求の範囲
【補正方法】変更
【補正の内容】
【特許請求の範囲】
【請求項１】
各種機能の動作および設定を行う操作スイッチと、前記操作スイッチの投入・解除により各種機能を動作させるコントローラを備えた衛生洗浄装置において、前記コントローラには、衛生洗浄装置に設けることが可能な各種機能の動作を制御する制御プログラムと、前記衛生洗浄装置に具備された機能を判別させる機種情報を記憶する不揮発性メモリを備え、前記コントローラへの通電を開始すると、前記コントローラは前記機種情報に基づいて衛生洗浄装置に具備された機能を自動的に判別し、前記制御プログラムの中から、前記衛生洗浄装置に具備されていると判別された機能の制御プログラムを選択して実行可能に設定したことを特徴とする衛生洗浄装置。
【請求項２】
各種機能の動作および設定を行う操作スイッチと、前記各種機能の動作・設定状態を表示する表示手段と、前記操作スイッチの投入・解除により各種機能を動作させるコントローラを備えた衛生洗浄装置において、前記コントローラには、衛生洗浄装置に設けることが可能な各種機能の動作を制御する制御プログラムと、前記衛生洗浄装置に具備された機能を判別させる機種情報を記憶する不揮発性メモリを備え、前記不揮発性メモリに記憶する制御プログラムは、衛生洗浄装置に具備される機能に、前記操作スイッチと前記表示手段に対する優先順位を付して構築されていることを特徴とする衛生洗浄装置。
【請求項３】
前記制御プログラムを記憶するメモリは、読み出し専用メモリを使用し、前記機種情報を記憶するメモリは、書替可能な不揮発性メモリを使用したことを特徴とする請求項１または２に記載の衛生洗浄装置。
【請求項４】
前記衛生洗浄装置の機種情報を記憶する不揮発性メモリは、前記衛生洗浄装置から取り外し可能な分離型であることを特徴とする請求項１ないし３いずれかに記載の衛生洗浄装置。
【手続補正２】
【補正対象書類名】明細書
【補正対象項目名】００１１
【補正方法】変更
【補正の内容】
【００１１】
【課題を解決するための手段】
請求項１記載の衛生洗浄装置は、各種機能の動作および設定を行う操作スイッチと、前記操作スイッチの投入・解除により各種機能を動作させるコントローラを備え、前記コントローラには、衛生洗浄装置に設けることが可能な各種機能の動作を制御する制御プログラムと、前記衛生洗浄装置に具備された機能を判別させる機種情報を記憶する不揮発性メモリを備え、前記コントローラへの通電を開始すると、前記コントローラは前記機種情報に基づいて衛生洗浄装置に具備された機能を自動的に判別し、前記制御プログラムの中から、前記衛生洗浄装置に具備されていると判別された機能の制御プログラムを選択して実行可能に設定するように構築した。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項２記載の衛生洗浄装置は、各種機能の動作および設定を行う操作スイッチと、前記各種機能の動作・設定状態を表示する表示手段と、前記操作スイッチの投入・解除により各種機能を動作させるコントローラを備えた衛生洗浄装置において、前記コントローラには、衛生洗浄装置に設けることが可能な各種機能の動作を制御する制御プログラムと、前記衛生洗浄装置に具備された機能を判別させる機種情報を記憶する不揮発性メモリを備え、前記不揮発性メモリに記憶する制御プログラムは、衛生洗浄装置に具備される機能に、前記操作スイッチと前記表示手段に対する優先順位を付して構成した。
【手続補正５】
【補正対象書類名】明細書
【補正対象項目名】００１４
【補正方法】変更
【補正の内容】
【００１４】
請求項３記載の衛生洗浄装置は、請求項１または２に記載の衛生洗浄装置において、前記制御プログラムを記憶するメモリに読み出し専用メモリを使用し、前記機種情報を記憶するメモリに、書替可能な不揮発性メモリを使用して構成した。
【手続補正６】
【補正対象書類名】明細書
【補正対象項目名】００１５
【補正方法】変更
【補正の内容】
【００１５】
請求項４記載の衛生洗浄装置は、請求項１ないし３いずれかに記載の衛生洗浄装置において、前記衛生洗浄装置の機種情報を記憶する不揮発性メモリを、前記衛生洗浄装置から取外可能な分離型に構成した。
【手続補正７】
【補正対象書類名】明細書
【補正対象項目名】００１６
【補正方法】削除
【補正の内容】
【手続補正８】
【補正対象書類名】明細書
【補正対象項目名】００６３
【補正方法】変更
【補正の内容】
【００６３】
【発明の効果】
請求項１記載の衛生洗浄装置は、各種機能の動作および設定を行う操作スイッチと、前記操作スイッチの投入・解除により各種機能を動作させるコントローラを備えた衛生洗浄装置において、前記コントローラには、衛生洗浄装置に設けることが可能な各種機能の動作を制御する制御プログラムと、前記衛生洗浄装置に具備された機能を判別させるための機種情報を記憶する不揮発性メモリを備え、前記コントローラへの通電を開始すると、前記コントローラは前記機種情報に基づいて衛生洗浄装置に具備された機能を自動的に判別し、前記制御プログラムの中から前記衛生洗浄装置に具備されていると判別された機能の制御プログラムを選択して実行可能に設定したので、停電等により電力の供給が停止した場合でも、前記制御プログラムおよび機種情報が抹消されることはなく、複電時において確実に記憶保持された制御プログラムおよび機種情報を使用して、良好に前記衛生洗浄装置の駆動制御を実行することができ、機種別に付属機能が異なっても、前記制御プログラムを他の機種で共通して利用することができ、複数の制御プログラムを構築する手間および時間を解消することができ、利便である。
【手続補正９】
【補正対象書類名】明細書
【補正対象項目名】００６４
【補正方法】削除
【補正の内容】
【手続補正１０】
【補正対象書類名】明細書
【補正対象項目名】００６５
【補正方法】変更
【補正の内容】
【００６５】
請求項２記載の衛生洗浄装置は、衛生洗浄装置に具備された機能に前記操作スイッチと前記表示手段に対する優先順位を付して制御プログラムを構築したので、衛生洗浄装置に具備された機能の別に関わらず、前記優先順位に従い、各機能の作動・停止を操作する操作スイッチと、前記機能の動作・設定状態を表示する前記表示手段を適切に割り振ることができ、以て、必要最小限の操作スイッチおよび表示手段のみにより構成することができ、経済的である。
【手続補正１１】
【補正対象書類名】明細書
【補正対象項目名】００６６
【補正方法】変更
【補正の内容】
【００６６】
請求項３記載の衛生洗浄装置は、書替を前提としない制御プログラムは安価な読み出し専用メモリに記憶させることにより装置のコスト低減が図れ、衛生洗浄装置の機種情報（割振情報）は、書替可能な不揮発性メモリに記憶することにより、機種の変更を前記機種情報を書き替えるだけの作業にて容易に実行することができるので、利便である。
【手続補正１２】
【補正対象書類名】明細書
【補正対象項目名】００６７
【補正方法】変更
【補正の内容】
【００６７】
請求項４記載の衛生洗浄装置は、衛生洗浄装置の機種情報を分離可能な不揮発性メモリに記憶することにより、前記機種情報の交換が容易となり、機種の変更を迅速・確実に行うことができ、便利である。
【手続補正１３】
【補正対象書類名】明細書
【補正対象項目名】００６８
【補正方法】削除
【補正の内容】